(57)【特許請求の範囲】
【請求項１】
光ファイバケーブルと、該光ファイバケーブルの先端に固定される端子本体と、これら光ファイバケーブルと端子本体の接続状態を固定する接続固定部材と、前記端子本体が接続された光ファイバケーブルの端子本体側部分を保持する保持穴を備えたコネクタハウジングと、前記光ファイバケーブルにおける前記コネクタハウジング側の部位を被覆する保護ブーツを有するコネクタ付光ファイバケーブルであって、
前記保護ブーツの先端側部分に、前記コネクタハウジング内に保持される被保持部が形成され、
該被保持部の内周面に、前記接続固定部材の長手方向の全体を収容する収容凹部が形成され、
前記被保持部の先端に、内周側に突出して前記接続固定部材の先端面に係止する係止縁が形成されるとともに、
前記保持穴の内周面が、前記被保持部の先端部分の外周面を覆って前記係止縁の係止が外れるのを規制する大きさに設定され、
前記端子本体を前記コネクタハウジング内に固定する固定部材が、前記保護ブーツの係止縁の先端面に当接又は近接する状態で取り付けられた
コネクタ付光ファイバケーブル。
【請求項２】
前記接続固定部材が、前記端子本体と光ファイバケーブルのケーブル外皮とに跨った状態で固定される
請求項１に記載のコネクタ付光ファイバケーブル。
【請求項３】
前記端子本体における前記接続固定部材が固定される固定部が、前記光ファイバケーブルよりも太く形成され、
前記接続固定部材が前記固定部に嵌合対応する内径を有した円筒状に形成された
請求項１または請求項２に記載のコネクタ付光ファイバケーブル。
【請求項４】
前記被保持部の収容凹部の後端に、前記光ファイバケーブルと接する被保持部の内周面に連続し、前記接続固定部材の後端面に当接又は近接する段部が形成された
請求項１から請求項３のうちのいずれか一項に記載のコネクタ付光ファイバケーブル。
【請求項５】
請求項１から請求項４のうちいずれか一項に記載の前記コネクタ付光ファイバケーブルを備えた
光コネクタ装置。
【発明の詳細な説明】
【技術分野】
【０００１】
この発明は、例えば制御信号、画像信号、音声信号等の情報信号の伝送路を構成する光ファイバケーブルのコネクタ部分の構成に関し、より詳しくは、光ファイバケーブルを保護する機能に優れたコネクタ付光ファイバケーブル及び光コネクタ装置に関する。
【背景技術】
【０００２】
光ファイバケーブルのコネクタ部分は、例えば下記特許文献１に開示されているように、光ファイバケーブルの先端に固定されるフェルールと称される端子本体と、この端子本体と光ファイバケーブルの接続状態を固定すべくこれらに跨るように被せたのちカシメて固定されるカシメリングと、このカシメリングで接続固定された端子本体と光ファイバケーブルの先端部とを保持するコネクタハウジングと、光ファイバケーブルにおけるコネクタハウジング側の部位を被覆する保護ブーツを有する構成である。
【０００３】
保護ブーツは、柔軟性や弾性を有するゴムや合成樹脂で形成されており、コネクタの挿抜操作や光ファイバケーブルの繰り返しの曲げ等によって、光ファイバケーブルに曲げ方向の荷重がかかって急角度に曲がったり、光ファイバが破壊されたりして、光の伝送損失の増大等の不都合が起こるのを防止する。
【０００４】
この保護ブーツはカシメリングの一部または全部に被せて、取り付けられている。
【０００５】
しかしながら、保護ブーツを引っ張ると、保護ブーツが柔軟であるため、変形して、カシメリングから抜けてしまうおそれがあった。たとえ保護ブーツの先端側部分がコネクタハウジング内に挿入される構成であるとしても、それは保護ブーツの抜けを積極的に防止する構成ではないので、粗雑な操作によって保護ブーツに変形が起こって、保護ブーツが不測に脱落するおそれがあった。保護ブーツが脱落すると、所望の保護機能を果たすことができず、光の伝送損失が増大するなどの問題が生じることになる。
【先行技術文献】
【特許文献】
【０００６】
【特許文献１】特開平１１−２１８６４２号公報
【発明の概要】
【発明が解決しようとする課題】
【０００７】
そこで、この発明は、保護ブーツが不測に脱落するのを防止でき、光ファイバケーブルの保護が確実に行えるようにすることを主な目的とする。
【課題を解決するための手段】
【０００８】
そのための手段は、光ファイバケーブルと、該光ファイバケーブルの先端に固定される端子本体と、これら光ファイバケーブルと端子本体の接続状態を固定する接続固定部材と、前記端子本体が接続された光ファイバケーブルの端子本体側部分を保持する保持穴を備えたコネクタハウジングと、前記光ファイバケーブルにおける前記コネクタハウジング側の部位を被覆する保護ブーツを有するコネクタ付光ファイバケーブルであって、前記保護ブーツの先端側部分に、前記コネクタハウジング内に保持される被保持部が形成され、該被保持部の内周面に、前記接続固定部材の長手方向の全体を収容する収容凹部が形成され、前記被保持部の先端に、内周側に突出して前記接続固定部材の先端面に係止する係止縁が形成されるとともに、前記保持穴の内周面が、前記被保持部の先端部分の外周面を覆って前記係止縁の係止が外れるのを規制する大きさに設定され、前記端子本体を前記コネクタハウジング内に固定する固定部材が、前記保護ブーツの係止縁の先端面に当接又は近接する状態で取り付けられたコネクタ付光ファイバケーブルである。
【００１０】
この構成では、保護ブーツの被保持部の収容凹部が接続固定部材の全体を収容し、被保持部の先端の係止縁が接続固定部の先端面に係止し、この状態をコネクタハウジングの保持穴の内周面が保持する。このため、保護ブーツが引っ張られたりしても保護ブーツの係止縁部分の変形は阻止され、抜け止めがなされる。
【００１１】
また、保護ブーツの係止縁は、軸方向において接続固定部材と固定部材によって挟み込まれるので、保護ブーツの被保持部が内外方向で挟まれて保持されることと相俟って、強力な抜け止め状態が得られる。
【００１２】
この発明の態様として、前記接続固定部材が、前記端子本体と光ファイバケーブルのケーブル外皮とに跨った状態で固定された構成とすることができる。
【００１３】
この発明の態様として、前記端子本体における前記接続固定部材が固定される固定部が、前記光ファイバケーブルよりも太く形成され、前記接続固定部材が前記固定部に嵌合対応する内径を有した円筒状に形成された構成とすることができる。太さの差は嵌合のためのクリアランス程度の極僅かなものでよい。
【００１４】
この構成では、端子本体と光ファイバケーブルの接続に際して、接続固定部材を光ファイバケーブル上に保持してから接続を行い、接続固定部材を端子本体側に移動すればよく、光ファイバケーブルの方が端子本体の固定部よりも細いので、作業性がよい。また接続固定部材は円筒状であるので構成が簡素で、小型化にも資する。
【００１５】
この発明の態様として、前記被保持部の収容凹部の長さが、前記接続固定部材の長さに嵌合対応する長さである構成とすることができる。
【００１６】
この構成では、保護ブーツの抜け止めは勿論のこと、接続固定部材が収容凹部内にぴたりと収まり、接続固定部材の後方に余分な隙間がないので、保護ブーツの後端側の部分がいたずらに変形するのを抑制し、光ファイバケーブルの過度の屈曲を防止するという本来の機能も十分に果たす。
【００１７】
この発明の構成として、前記被保持部の収容凹部の後端に、前記光ファイバケーブルと接する被保持部の内周面に連続し、前記接続固定部材の後端面に当接又は近接する段部が形成された構成とすることができる。
【００１８】
この構成では、段部が接続固定部材の後端面に当接又は近接するため、保護ブーツに曲がる荷重がかかった場合でも、保護ブーツの位置が明確に規制される。この結果、保護ブーツの被保持部の後端部とそれより後方の部分がいたずらに変形するのをより良好に抑制し、光ファイバケーブルの過度の屈曲を防止するという本来の機能を確実に果たす。
【００１９】
課題を解決するための別の手段は、前記コネクタ付光ファイバケーブルを備えた光コネクタ装置である。
【発明の効果】
【００２０】
この発明によれば、保護ブーツの被保持部が接続固定部材の全体を覆うとともに、被保持部の先端の係止縁が接続固定部の先端面に係止し、この状態をコネクタハウジングの保持穴の内周面が保持するので、保護ブーツが引っ張られたりした場合でも、保護ブーツの係止縁部分が変形するのを積極的に阻止できる。このため、保護ブーツが不測に脱落するのを防止でき、光ファイバケーブルを保護する機能を確保できる。
【図面の簡単な説明】
【００２１】
【図１】コネクタ付光ファイバケーブルの切断端面図。
【図２】光コネクタ装置の分解斜視図。
【図３】光コネクタ装置の接続状態の断面図。
【図４】フェルールとカシメリングと光ファイバケーブルと保護ブーツの斜視図。
【図５】コネクタ付光ファイバケーブルの組み立て工程を示す断面図。
【発明を実施するための形態】
【００２２】
この発明を実施するための一形態を、以下図面を用いて説明する。  
図１は、コネクタ付光ファイバケーブル１１のコネクタ部分の切断端面図であり、図２は、そのコネクタ付き光ファイバケーブル１１を用いた光コネクタ装置１２の分解斜視図で、図３は、その光コネクタ装置１２の接続状態の断面図である。
【００２３】
図２の光コネクタ装置１２は、メス型光コネクタ１３を備えた制御基板１４と、前記メス型光コネクタ１３に挿入されて接続されるコネクタ付光ファイバケーブル１１としてのオス型コネクタ付光ファイバケーブル１１ａとで構成されている。
【００２４】
なお、図２中、１５はコネクタハウジング、１６はレンズ、１７はＦＯＴ（Ｆｉｂｅｒ  Ｏｐｔｉｃａｌ  Ｔｒａｎｓｃｅｉｖｅｒ）、１８はスペーサ、１９はメタルカバー、２０は基板である。また、図３では、図示の便宜上、前記基板を省略してあらわしている。
【００２５】
以下、オス型コネクタ付光ファイバケーブル１１ａを例にしてその構成を説明するが、メス型コネクタ付光ファイバケーブルを構成する場合でもオス型コネクタ付光ファイバケーブル１１ａと同様に構成される。
【００２６】
オス型コネクタ付光ファイバケーブル１１ａは、図１、図２に示したように、光ファイバケーブル３１と、この光ファイバケーブル３１の先端に固定される端子本体としてのフェルール４１と、これら光ファイバケーブル３１とフェルール４１の接続状態を固定する端子固定部材としてのカシメリング５１と、前記フェルール４１が接続された光ファイバケーブル３１のフェルール４１側部分を保持するオス型のコネクタハウジング６１と、前記フェルール４１を前記コネクタハウジング６１内に固定する固定部材としてのフェルールロックキー７１と、前記光ファイバケーブル３１における前記コネクタハウジング６１側の部位を被覆する保護ブーツ８１を有する。
【００２７】
前記光ファイバケーブル３１は、図４の斜視図に示したように、光ファイバ素線３２と、この光ファイバ素線３２の外周に長手方向に沿って備えられた複数本の抗張力体３３と、この抗張力体３３の外周を覆うケーブル外皮３４で構成されている。
【００２８】
光ファイバ素線３２は、ガラス製のファイバである光ファイバ３２ａと、ポリアミド樹脂等からなり前記光ファイバ３２ａを被覆する素線ケーブル被覆部３２ｂを有している。光ファイバ３２ａとしては、図示しないが、石英系ガラスからなるコア部と、このコア部よりも屈折率が低い硬質プラスチックからなるクラッド部を有する、いわゆるＨＣＳ（Ｈａｒｄ  Ｃｌａｄ  Ｓｉｌｉｃａ）光ファイバが用いられる。
【００２９】
抗張力体３３は、例えばケブラー（登録商標）等のアラミド樹脂繊維で構成され、ケーブル外皮３４は適宜の合成樹脂で構成されている。
【００３０】
このような光ファイバケーブル３１の端末部では、前記素線ケーブル被覆部３２ｂとケーブル外皮３４の一部を除去すれば、前記光ファイバ３２ａ、素線ケーブル被覆部３２ｂ及び抗張力体３３をそれぞれ所定の長さ露出させることができる。
【００３１】
前記フェルール４１は、例えば耐熱性、機械特性や成形性に優れるポリフェニレンサルファイド樹脂（ＰＰＳ）で構成されている。フェルール４１は、図１、図４に示したように全体として略円筒状で、内部には光ファイバケーブル３１の光ファイバ素線３２を挿入する挿入穴４２が貫通形成されている。フェルール４１の外周面における長手方向の中間部４１ａの周方向の一部には、前記挿入穴４２に向けて連通する取り付け穴４３が形成されており、前記挿入穴４２に挿入された光ファイバ素線３２を固定して抜け止めするクランプ部材４４が取り付け可能である。
【００３２】
フェルール４１における前記取り付け穴４３を有する長手方向の中間部４１ａよりも先端側の部分は、その中間部４１ａよりも小径に（細く）形成され、中間部４１ａとそれより先端側の部分（先端側小径部４１ｂ）との間にフェルール４１の長手方向と直交する方向に広がる面からなる段差部４５が設けられている。この段差部４５により、前記コネクタハウジング６１内の挿入位置の位置決めがなされる。
【００３３】
また、長手方向の中間部４１ａよりも後端側の部分も、その中間部４１ａよりも小径に（細く）形成されて、前記カシメリング５１をカシメて固定する固定部４１ｃに設定されている。この固定部４１ｃの太さＤ１は、前記光ファイバケーブル３１の太さＤ２よりも若干太く形成されている。太さの違いは、僅かでよく、例えば嵌合対応のためのクリアランス程度の違いでよい。
【００３４】
固定部４１ｃの外周面には、周方向に延びる複数の環状凹溝４６が形成されており、長手方向に沿って凹凸状である。また固定部４１ｃの外周面の端末角部は面取りされて傾斜面４７が形成されている。このような形状の固定部４１ｃ部分は、便宜上図示を省略するが、光ファイバケーブル３１の抗張力体３３を長手方向に延ばした状態にして前記カシメリング５１で押さえ付けて固定する部分でもある。
【００３５】
また、図示例の固定部４１ｃは、３本の環状凹溝４６を有しており、３本の環状凹溝４６のうちの先端側の環状凹溝４６は、前記カシメリング５１を嵌める位置を示す目印としての機能も有する。つまり、先端側の環状凹溝４６は、カシメリング５１を所定の嵌合位置に位置させたときに覆われるとともに、カシメリング５１の先端と環状凹溝４６の縁が近接する位置に形成されている。
【００３６】
前記カシメリング５１は、図４に示したように円筒形で、前記フェルール４１の固定部４１ｃと前記光ファイバケーブル３１の先端部に跨った状態で嵌められる長さに形成されている。カシメリング５１の長手方向の全体の内径は、フェルール４１の固定部４１ｃに嵌合対応する大きさに設定されている。前述のように固定部４１ｃの太さＤ１は、前記光ファイバケーブル３１の太さＤ２よりも若干太いので、カシメリング５１は光ファイバケーブル上では動き易い状態である。
【００３７】
このカシメリング５１は、例えばアルミニウム等の金属で構成され、フェルール４１の固定部４１ｃや光ファイバケーブル３１のケーブル外皮３４に対してカシメにより縮径変形して固定される。
【００３８】
前記保護ブーツ８１は、例えば弾性を有するゴムや合成樹脂で構成され、長手方向の中間より後端側の、前記コネクタハウジング６１外に出るケーブル被覆部８２と、先端側の、前記コネクタハウジング内に保持される被保持部８３を一体に有する。
【００３９】
図１に示したように、ケーブル被覆部８２の内周面８２ａは全体が光ファイバケーブル３１のケーブル外皮３４に接する大きさに形成されている。また、ケーブル被覆部８２の厚さは先端側ほど厚肉となるように形成されて、ケーブル被覆部８２の外周面には環状をなす複数の凹溝８２ｂが長手方向に沿って形成されている。
【００４０】
一方、被保持部８３は前記カシメリング５１の長さよりも長い円筒状に形成されている。被保持部８３の内周面におけるケーブル被覆部８２側の部分には、ケーブル被覆部８２の内周面８２ａと面一の連続内周面８３ａを有し、この連続内周面８３ａより先端側に、前記カシメリング５１の長手方向の全体を収容し、かつカシメリング５１の長さに嵌合対応する長さの収容凹部８４が形成されている。収容凹部８４と連続内周面８３ａとの間には、カシメリング５１の後端面に当接又は近接する段部８５を有する。段部８５は保護ブーツ８１の長手方向と直交する方向に広がる平面で構成されている。
【００４１】
収容凹部８４の先端、すなわち前記被保持部８３の先端の全周には、内周側に突出して前記カシメリング５１の先端面に係止する係止縁８６が形成されている。係止縁８６の突出長さは、先端がフェルール４１の固定部４１ｃに接する長さである。係止縁８６の厚さは、抜け止め機能を果たすのに十分な適宜の厚さに設定されている。
【００４２】
係止縁８６の先端における保護ブーツ８１の長手方向後端側（内側）の角部は、アール状に面取りされている。また、係止縁８６における保護ブーツ８１の長手方向後先端の先端面は、被保持部８３の先端面と同一で、長手方向と直交する方向の平面で構成されている。
【００４３】
前記コネクタハウジング６１は、耐熱性で熱膨張率の低い樹脂、例えばポリフェニレンサルファイド樹脂（ＰＰＳ）やポリブチレンテレフタレート（ＰＢＴ）などで形成され、図２に示したように略直方体形状で、長手方向に貫通する穴を有している。この穴が、フェルール４１を接続した光ファイバケーブル３１のフェルール４１側部分を保持する保持穴６２で、図示例のコネクタハウジング６１では２個の保持穴６２が並設されている。
【００４４】
保持穴６２は、図１に示したように、前記フェルール４１が保持されるフェルール保持部６２ａと、前記保護ブーツ８１が保持されるブーツ保持部６２ｂを長手方向の先端側から順に有している。フェルール４１を接続した光ファイバケーブル３１は前記カシメリング５１と保護ブーツ８１を備えているため、前記ブーツ保持部６２ｂの方がフェルール保持部６２ａよりも径が大きいが、ブーツ保持部６２ｂの内周面は、保護ブーツ８１の被保持部８３の先端部分を含む外周面の略全体を覆って、係止縁８６の係止が外れるのを規制する大きさに設定されている。
【００４５】
具体的には、保持穴６２におけるブーツ保持部６２ｂの内径は、保護ブーツ８１の被保持部８３に嵌合対応する大きさに設定される。このほか、保護ブーツ８１の被保持部８３を圧入する大きさや、保護ブーツ８１の被保持部８３に嵌合対応する大きさよりも大きいが前記係止縁８６部分がたとえ薄く変形したとしても係止縁８６部分がカシメリング５１と保持穴６２内周面の間から抜け出るのを阻止する大きさであってもよい。
【００４６】
コネクタハウジング６１の外周面は、図２、図３に示したように、前記メス型光コネクタ１３のコネクタハウジング１５に嵌合対応する適宜の形状に形成されている。
【００４７】
また、図１に示したように、コネクタハウジング６１の下面における前記フェルール４１の固定部４１ｃの先端側部分に対応する部位には、前記保持穴６２に連通し、前記フェルールロックキー７１を挿入保持可能とするロック穴６３が形成されている。
【００４８】
前記フェルールロックキー７１は、図１に示したようにフェルール４１を受ける正面視Ｕ字状の受け部７２を２つ並設した形状に形成され、前記コネクタハウジング６１のロック穴６３から挿入されたときには、受け部７２がフェルール４１の固定部４１ｃの先端側の被係止部４８に下から係止して、フェルール４１の抜け止めがなされる。
【００４９】
この抜け止め状態において、フェルールロックキー７１が前記保護ブーツ８１の係止縁８６の先端面に当接又は近接する状態となるように、各部が構成されている。フェルールロックキー７１と保護ブーツ８１の係止縁８６の先端面が互いに面接触するのが好ましい。
【００５０】
具体的には、フェルール４１をフェルール保持部６２ａ内の所定位置に差し込んだときに、ロック穴６３における後方側の口縁と面一となる位置に、保護ブーツ８１の先端面（係止縁８６の先端面）が位置するように、ブーツ保持部６２ｂの深さが設定され、ブーツ保持部６２ｂとフェルール保持部６２ａの間には、保護ブーツ８１の先端面が当接する当接段部６２ｃを有する。また、フェルール４１の固定部４１ｃにカシメリング５１を固定し、このカシメリング５１の先端に保護ブーツ８１の係止縁８６を係止した状態で、フェルールロックキー７１を挿入保持可能となるように、カシメリング５１の嵌合位置や係止縁８６の厚さが設定されている。
【００５１】
以上のように、オス型コネクタ付光ファイバケーブル１１ａは、光ファイバケーブル３１と、フェルール４１と、カシメリング５１と、コネクタハウジング６１と、フェルールロックキー７１と、保護ブーツ８１の、主に６個の部品で構成される。
【００５２】
オス型コネクタ付光ファイバケーブル１１ａの組み立ては次のように行う。
【００５３】
まず、図５（ａ）に示したように、光ファイバケーブル３１の先端にフェルール４１を固定する。このとき、光ファイバケーブル３１の抗張力体３３をフェルール４１の固定部４１ｃの上に出す。また、カシメリング５１と保護ブーツ８１を光ファイバケーブル３１の上に位置させる。
【００５４】
つぎに、図５（ｂ）に示したように、カシメリング５１をフェルール４１の固定部４１ｃと光ファイバケーブル３１とに跨った所定の位置に移動して、図５（ｃ）に示したように、カシメリング５１をカシメて縮径し、光ファイバケーブル３１とフェルール４１の接続状態を固定する。
【００５５】
続いて、図５（ｄ）に示したように、保護ブーツ８１の被保持部８３をカシメリング５１に被せる。つまり、被保持部８３の収容凹部８４にカシメリング５１を収容するとともに、係止縁８６をカシメリング５１の先端に係止する。
【００５６】
最後に、図５（ｅ）に示したように、フェルール４１等を備えた光ファイバケーブル３１の先端が部分をコネクタハウジング６１の保持穴６２に挿入して、フェルールロックキー７１によって挿入状態を保持する。
【００５７】
このようにして組み立てられたオス型コネクタ付光ファイバケーブル１１ａでは、図１に示したように、光ファイバケーブル３１を保護する保護ブーツ８１の被保持部８３が、光ファイバケーブル３１とフェルール４１の接続状態を固定しているカシメリング５１の全体を被覆するとともに、被保持部８３の先端の係止縁８６がカシメリング５１の先端面に係止する。係止縁８６の先端面はコネクタハウジング６１当接段部６２ｃに当接して、フェルールロックキー７１によって、保持穴６２内で位置決めされる。そして、この状態を、コネクタハウジング６１の保持穴６２の内周面が押さえて保持する。
【００５８】
このような構成であるので、カシメリング５１は光ファイバケーブル３１とフェルール４１の接続状態を保持するほかに、保護ブーツ８１を係止する機能も果たすことになる。
【００５９】
そのうえ、保護ブーツ８１の係止縁８６は、カシメリング５１とフェルールロックキー７１、及びカシメリング５１と当接段部６２ｃとによって挟み込まれて、位置規制される。このため、保護ブーツ８１の被保持部８３が内外方向に変形するのが阻止されることと相俟って、より強力な抜け止め状態が得られる。また、フェルールロックキー７１と保護ブーツ８１の係止縁８６の先端が互いに面接触すると、フェルールロックキー７１にとっては、コネクタハウジング６１からの脱落防止もなされることになる。
【００６０】
このため、光コネクタの挿抜操作において、たとえ保護ブーツ８１が引っ張られたりしても、保護ブーツ８１の係止縁８６部分は、カシメリング５１に係止しており、この係止状態が保持穴６２で維持されるので、係止縁８６部分が変形することも阻止されるので、完全な抜け止めがなされる。
【００６１】
したがって、保護ブーツ８１が脱落することはなく、光ファイバケーブル３１を確実に保護することができ、光の伝送状況を良好な状態に維持できる。
【００６２】
また、フェルール４１の固定部４１ｃの太さを光ファイバケーブル３１の太さよりも若干太く、円筒状のカシメリング５１の内径が固定部４１ｃに嵌合対応する大きさであるので、前述のように組み立てに際しては光ファイバケーブル３１上のカシメリング５１をフェルール４１側にずらせばよく、作業が容易である。そのうえ、カシメリング５１の形状は簡素であり、これに伴って、保護ブーツ８１の形状も簡素にでき、カシメリング５１を収容する収容凹部８４の形状をカシメリングに対応する形状にすることができる。
【００６３】
そして、前述のように、収容凹部８４をカシメリング５１が嵌合対応する大きさに形成しているので、カシメリング５１は収容凹部８４内にぴたりと収まり、カシメリング５１の後方に余分な隙間がない。このため、保護ブーツ８１のケーブル被覆部８２がいたずらに変形するのを抑制し、光ファイバケーブルの過度の屈曲を防止するという本来の機能も十分に果たす。
【００６４】
特に、収容凹部８４の後端に段部８５を設けて、この段部８５がカシメリング５１の後端面に当接又は近接するように構成しているので、保護ブーツ８１の後端側に曲げ荷重がかかった場合でも、保護ブーツ８１の位置ずれを良好に阻止することができる。この結果、保護ブーツ８１の被保持部８３の後端部とそれより後方の部分がいたずらに変形するのをより効果的に抑制できる。
【００６５】
また、オス型コネクタ付光ファイバケーブル１１ａの部品点数は前述のように主に６個で、別途に特別な部材を用いずとも前述のように保護ブーツ８１の脱落防止ができる。このため、組み立て工数や部品点数を抑えても、光ファイバケーブル３１の保護を図ることが可能であり、耐久性のよいコネクタ付ファイバケーブルを安価に得ることができるという効果も有する。
【００６６】
この発明の構成と、前述の一形態の構成との対応において、  
この発明のコネクタ付光ファイバケーブルは、前述のオス型コネクタ付光ファイバケーブル１１ａに対応し、  
以下同様に、
端子本体は、前述のフェルール４１に対応し、  
接続固定部材は、前述のカシメリング５１に対応し、  
固定部材は、前述のフェルールロックキー７１に対応するも、  
この発明は前述の構成のみに限定されるものではなく、その他の構成を採用することができる。
【００６７】
例えば、カシメリングは、前述のように長手方向全体にわたって同一内径の円筒状のものではなく、内径の異なる部分を有する段付き構造であってもよい。
【符号の説明】
【００６８】
１１…コネクタ付ファイバケーブル
１１ａ…オス型コネクタ付光ファイバケーブル
１２…光コネクタ装置
３１…光ファイバケーブル
３４…ケーブル外皮
４１…フェルール
４１ｃ…固定部
５１…カシメリング
６１…コネクタハウジング
６２…保持穴
６２ｃ…当接段部
７１…フェルールロックキー
８１…保護ブーツ
８３…被保持部
８４…収容凹部
８５…段部
８６…係止縁
【図１】
0005607677.tif 000002
【図２】
0005607677.tif 000003
【図３】
0005607677.tif 000004
【図４】
0005607677.tif 000005
【図５】
0005607677.tif 000006